(57)【要約】  【課題】  乳幼児用の就寝時の夜着において、眠ってしまってからも簡易に装着でき、しかも、容易に肌けることのないようにすることを課題とする。  【解決手段】  乳幼児用の夜着として、繊維材料により形成されたシート状の背面部と、繊維材料により形成されたシート状の腹面部と、所定の間隔を空けて前記背面部の縁部に設けられる、繊維材料により形成された幅広の紐状体よりなる２本の肩当部と、前記肩当部の各先端近傍と前記腹面部の上面とを固定する肩当固定手段とを設ける。【選択図】  図１
2006181280.tif 000002
【特許請求の範囲】
【請求項１】
繊維材料により形成されたシート状の背面部と、
繊維材料により形成されたシート状の腹面部と、
所定間隔を空けて前記背面部の縁部に設けられる、繊維材料により形成された幅広の紐状体よりなる２本の肩当部と、
前記肩当部の各先端近傍と前記腹面部の上面とを固定する肩当固定手段と
を有する乳幼児用夜着。
【請求項２】
乳幼児に装着した状態において、前記背面部と前記腹面部の相対する両側の縁部同士を固定する側面固定手段を設けた請求項１に記載の乳幼児用夜着。
【請求項３】
前記肩当固定手段は面ファスナーにより形成される請求項１又は２に記載の乳幼児用夜着。
【発明の詳細な説明】
【技術分野】
【０００１】
本発明は乳幼児用の夜着に関し、特に、寝具として使用する夜着に関する。
【背景技術】
【０００２】
乳幼児用の就寝時の夜着として、一般にかいまきが使用されている。かいまきは服の形状をしており、かいまきを着せた状態で就寝させる必要がある。しかし、かいまきを着せるまえに乳幼児が眠ってしまうと、かいまきを着せる作業は大変であり、労力がかかってしまう。これを解決するために、例えば、下記特許文献１に示すような肩口から折り返して腹面側へ掛ける部分をもつ寝具のような形状であれば、すでに眠ってしまっている乳幼児でも簡易に装着させることができ、首周りも保温できて便利であると考えられる。
【特許文献１】実開平５−３１６６８号公報
【発明の開示】
【発明が解決しようとする課題】
【０００３】
しかし、上記特許文献１に記載の寝具は、腹面側の布は単に置いてあるだけであるので、就寝時に動きの激しい乳幼児に装着すると直ぐに肌けてしまうという問題が生じる。
そこで、本発明は、乳幼児用の就寝時の夜着において、眠ってしまってからも簡易に装着でき、しかも、容易に肌けることのないようにすることを課題とする。
【課題を解決するための手段】
【０００４】
上記課題を解決するために、本発明は次のような構成を有する。
請求項１に記載の発明は、繊維材料により形成されたシート状の背面部と、繊維材料により形成されたシート状の腹面部と、所定の間隔を空けて前記背面部の縁部に設けられる、繊維材料により形成された幅広の紐状体よりなる２本の肩当部と、前記肩当部の各先端近傍と前記腹面部の上面とを固定する肩当固定手段とを有する乳幼児用夜着である。なお、繊維材料としては、具体的に、毛布、布団、キルトなどが例示される。また、所定の間隔は、平均的な乳幼児の首の太さ前後が望ましい。
請求項２に記載の発明は、前記乳幼児用夜着において、乳幼児が装着した状態において、記背面部と前記腹面部の相対する両側の縁部同士を固定する側面固定手段を設けたものである。
請求項３に記載の発明は、前記乳幼児用夜着において、前記肩当固定手段は面ファスナーにより形成されるものである。
【発明の効果】
【０００５】
請求項１に記載の発明は、布団の上に背面部を敷き、この上に眠ってしまった乳幼児を肩当部が乳幼児の両肩位置にくるように寝かせる。次に、腹面部を乳幼児の上から掛けて、肩当部を乳幼児の肩口から腹面部に回す。この際、２本の肩当部が交わるようにすることが望ましい。そして、肩当部の先端近傍と、腹面部の上面とを肩当固定手段により固定する。このように使用することで、眠ってしまった乳幼児にも簡易に装着することができるとともに、肩当部は腹面部に固定されることで容易に肌けることもない。
請求項２に記載の発明は、さらに、側面固定手段により、乳幼児に装着した際に相対する縁部を固定することで腹面部がめくれ上がることが防止でき、また、側面の保温も確保することができる。
請求項３に記載の発明は、肩当部固定手段を面ファスターとすることにより、肩当部の着脱を極めて容易に行うことができる。
【発明を実施するための最良の形態】
【０００６】
以下、本発明の実施形態について、図面を参照しながら説明する。
図１に本実施形態に係る乳幼児用夜着Ａの斜視図を示す。乳幼児用夜着Ａは、背面部１０、腹面部２０、肩当部３０、肩当固定体４０、側面固定体５０とから構成される。背面部１０は薄手のほぼ正方形状のキルトにより構成される。腹面部２０は背面部１０とほぼ同じ大きさの薄手のキルトにより構成され、一縁の両角部が切り取られている。肩当部３０は幅広の紐状体であり、ここでは幅約１０ｃｍ、長さ５０ｃｍのやはりキルトで構成され、背面部１０の一縁に所定距離、ここでは８ｃｍの間隔を空けて外方へ突出するように２本設けられている。肩当固定体４０は、肩当部３０の各先端近傍と腹面部２０の上面とを固定するものであり、ここでは、面ファスナーが用いられる。具体的には、長方形状の面ファスナーの一方の係合体４０ａが肩当部３０の先端近傍に縫い付けられ、長方形状の面ファスナーの他方の係合体４０ｂが腹面部２０の上面の両角部が切り取られている方とは反対側寄りに２つ並んで縫い付けられている。側面固定体５０は、記背面部１０と前記腹面部２０の相対する縁部を固定するものであり、背面部１０の肩当部３０が設けられた縁に隣接する二縁に設けられる紐体５０ａと腹面部２０の両角部が切り取られている縁に隣接する二縁に設けられる紐体５０ｂとから構成される。
【０００７】
次に上記のような構成を有する乳幼児用夜着Ａの使用方法について説明する。図２に乳幼児用夜着Ａの使用状態を表す正面図を示す。この状態にするには、まず、背面部１０を肩当部３０が上方に位置するように布団に敷き、その上に乳幼児Ｘを肩が背面部１０の肩当部３０の設けられた縁部の位置に合い、かつ、首が２本の肩当部３０の間に位置するように置く。次に、腹面部３０を面ファスナーの係合体４０ｂが上になるようにし、両角部が切り取られている縁部が首の下くらいになるように乳幼児Ｘに掛ける。そして、一方の肩当部３０を肩口からたすき状に掛けて、先端部近傍の面ファスナーの係合体４０ｂを腹面部３０の面ファスナー４０ａに係合させる。他方の肩当部３０も同様に肩口からたすき状に一方の肩当部３０に交わるように掛けて、先端部近傍の面ファスナーの係合体４０ｂを腹面部３０の面ファスナー４０ａに係合させる。最後に、背面部１０と腹面部２０との乳幼児Ｘの側面に位置する縁部に設けられている紐体５０ａ、５０ｂをそれぞれ結ぶことで装着が完了する。
【０００８】
なお、上記実施形態では、側面の固定を紐体５０ａ、５０ｂにより行っているが、側面の固定は面ファスナーを用いてもよい。また、背面部、腹面部、肩当部の素材はキルトである必要はなく、毛布やフリースなど種々の繊維材料を使用することができる。
【図面の簡単な説明】
【０００９】
【図１】実施形態にかかる乳幼児用夜着を示す斜視図である。
【図２】実施形態にかかる乳幼児用夜着の使用状態を示す正面図である。
【符号の説明】
【００１０】
A    乳幼児用夜着
１０  背面部
２０  腹面部
３０  肩当部
４０  肩当固定体
５０  側面固定体
【図１】
2006181280.tif 000003
【図２】
2006181280.tif 000004